(57)【要約】【課題】原稿から読み取った画像の画質の劣化を抑制することが可能な画像読取装置及び同装置で読み取った画像の記録処理が可能である記録装置を提供する。【解決手段】原稿から画像を読み取るＣＩＳ４０と、ＣＩＳ４０を支持しつつ移動するキャリッジ５０と、キャリッジ５０とＣＩＳ４０とを接続する導電部材８１と、ＣＩＳ４０が有する基板４１に接続された接地線とを備え、導電部材８１とＣＩＳ４０の基板４１とを導電可能に接続した。【選択図】図７
2014017573.tif 000002
【特許請求の範囲】
【請求項１】
透明板上にある原稿から画像を読み取る読取部と、
前記読取部を支持しつつ移動する金属で形成された支持部材と、
前記読取部に読み取られた画像を処理部に伝送するフレキシブルフラットケーブルと
を備える画像読取装置であって、
前記フレキシブルフラットケーブルは、画像データを伝送する信号線及び接地線を含み、
前記読取部は、基板を有し、
前記支持部材と前記基板の一部とを導電部材にて接続する
ことを特徴とする画像読取装置。
【請求項２】
前記導電部材は、前記読取部を前記透明板に向けて付勢し、接続状態を保持する導電性の弾性部材である
請求項１に記載の画像読取装置。
【請求項３】
前記弾性部材は、前記支持部材に接触する支持部材側接触部と、前記基板に接触する読取部側接触部と、前記支持部材側接触部及び前記読取部側接触部をそれぞれの接触相手に対して圧接状態にする外力が付与される被外力付与部とを有する
請求項２に記載の画像読取装置。
【請求項４】
前記読取部を前記透明板に向けて前記弾性部材と協働して付勢する付勢部材を更に有する
請求項２又は３に記載の画像読取装置。
【請求項５】
請求項１〜４のいずれか一項に記載の画像読取装置で読み取った画像の記録処理が可能である記録装置。
【発明の詳細な説明】
【技術分野】
【０００１】
本発明は、原稿から画像を読み取る読取部及び読取部を支持して移動する支持部材を有した画像読取装置並びに同装置で読み取った画像の記録処理が可能な記録装置に関する。
【背景技術】
【０００２】
従来、この種の画像読取装置として、例えば特許文献１に記載の画像入出力装置が知られている。この画像入出力装置は、原稿が載置される透明板を備えたスキャナハウジングを有している。スキャナハウジングの内部には、透明板と平行な方向に移動するキャリッジ、フレキシブルフラットケーブル、及び処理部が収容されている。キャリッジには、リニアイメージセンサーを有した走査回路基板、ミラー、及び光源が搭載されている。フレキシブルフラットケーブルは、走査回路基板と処理部との間を電気的に接続し、処理部は、走査回路基板からフレキシブルフラットケーブルを介して入力された信号を処理して画像データを出力する。
【０００３】
そして、この画像入出力装置では、画像読取時に光源が透明板越しに原稿を照射すると、ミラーが光源によって照射された原稿の画像をリニアイメージセンサーに反射する。すると、リニアイメージセンサーが、キャリッジと一体的に移動しながら、ミラーによって反射された原稿の画像を読み取る。
【先行技術文献】
【特許文献】
【０００４】
【特許文献１】特開２００５−５７６２８号公報
【発明の概要】
【発明が解決しようとする課題】
【０００５】
ところで、キャリッジは、スキャナハウジング内を透明板と平行な方向に往復移動するものであるため、スキャナハウジングを薄くすると、キャリッジ自体も薄くなる結果、その剛性が低下する。こうした場合、剛性の低下を補うためにキャリッジを例えば金属で形成すると、キャリッジには、リニアイメージセンサーによって原稿を読み取るときに、光源の表面電位の変化及び空気摩擦などに起因する電荷が蓄積される。そして、キャリッジは、電荷の蓄積量が所定量以上になると放電し、その放電時にはノイズが発生する。こうしたノイズは、リニアイメージセンサーによって読み取られた原稿の画像データに干渉するため、上記画像入出力装置においては、原稿から読み取った画像の画質が劣化する場合がある。
【０００６】
なお、こうした実情は、上記の画像入出力装置に限らず、原稿から画像を読み取る読取部及び読取部を支持して移動する支持部材を有した画像読取装置、並びに同装置で読み取った画像の記録処理が可能な記録装置においては、共通したものとなっていた。
【０００７】
本発明は、上記課題を解決するため、原稿から読み取った画像の画質の劣化を抑制することが可能な画像読取装置及び同装置で読み取った画像の記録処理が可能な記録装置を提供することを目的とする。
【課題を解決するための手段】
【０００８】
本発明の画像読取装置は、透明板上にある原稿から画像を読み取る読取部と、前記読取部を支持しつつ移動する金属で形成された支持部材と、前記読取部に読み取られた画像を処理部に伝送するフレキシブルフラットケーブルとを備える画像読取装置であって、前記フレキシブルフラットケーブルは、画像データを伝送する信号線及び接地線を含み、前記読取部は、基板を有し、前記支持部材と前記基板の一部とを導電部材にて接続する。
【０００９】
この発明によれば、支持部材を例えば剛性確保のために金属で形成した場合でも、支持部材は、導電部材、基板、及び接地線を通して接地されているため、画像読取装置が原稿から画像を読み取るときに支持部材に電荷が蓄積されることを抑制できる。これにより、読取部によって読み取られた原稿の画像データに干渉するノイズの発生を抑制することができる。したがって、原稿から読み取った画像の画質の劣化を抑制することができる。
【００１０】
本発明の画像読取装置は、前記導電部材は、前記読取部を前記透明板に向けて付勢し、接続状態を保持する導電性の弾性部材である。
この発明によれば、導電性の弾性部材からなる導電部材により読取部を透明板に向けて付勢するため、より確実に読取部を透明板に押し付けることができるとともに、接地線に接続された読取部の基板と支持部材とに導電部材をより確実に接触させることができる。
【００１１】
本発明の画像読取装置は、前記弾性部材は、前記支持部材に接触する支持部材側接触部と、前記基板に接触する読取部側接触部と、前記支持部材側接触部及び前記読取部側接触部をそれぞれの接触相手に対して圧接状態にする外力が付与される被外力付与部とを有する。
【００１２】
本発明の画像読取装置は、前記読取部を前記透明板に向けて前記弾性部材と協働して付勢する付勢部材を更に有する。
この発明によれば、付勢部材による付勢力の分だけ弾性部材の付勢力を弱くすることができ、弾性部材からなる導電部材を支持部材と読取部の基板との間に組み込む作業を容易に行うことができる。
【００１３】
本発明の記録装置は、上記画像読取装置で読み取った画像の記録処理が可能である。
この発明によれば、記録装置において上記構成の画像読取装置の場合と同様の効果を享受することができる。
【図面の簡単な説明】
【００１４】
【図１】本発明の実施形態における複合機の斜視図。
【図２】実施形態の複合機の搬送装置を開位置に移動したときの斜視図。
【図３】実施形態の複合機の画像読取装置の内部を示す斜視図。
【図４】実施形態のコンタクトイメージセンサーユニットの分解斜視図。
【図５】実施形態のコンタクトイメージセンサーの部分底面図。
【図６】実施形態の接地部の部分を拡大して示す斜視図。
【図７】実施形態のコンタクトイメージセンサーユニットについて、図３における７−７線を含む平面で切断した場合の断面構造を示す断面図。
【図８】実施形態の画像読取装置について、コンタクトイメージセンサーユニットの動作とともに、図１における８−８線を含む平面で切断した場合の断面構造を示す断面図。
【図９】実施形態の画像読取装置の内部の俯瞰図であり、（ａ）はコンタクトイメージセンサーユニットが読取開始位置に位置した状態を示す俯瞰図、（ｂ）はコンタクトイメージセンサーユニットが読取終了位置に位置した状態を示す俯瞰図。
【発明を実施するための形態】
【００１５】
以下、図１及び図２を参照して、本実施形態の複合機１の全体構造について説明する。なお、以下の説明において、「前後方向」、「左右方向」、及び「上下方向」を言う場合は、各図中に矢印で示す前後方向、左右方向、及び上下方向をそれぞれ示すものとする。
【００１６】
図１に示すように、複合機１は、媒体の一例としての印刷用紙にインクの噴射により印字及び印画をする記録ヘッドなどの記録部を有する画像形成装置（記録装置）２と、画像形成装置２上に配置され、原稿Ｐから画像を読み取る画像読取装置３とを備えている。また、画像読取装置３は、同装置の主要部として内部に画像読取のための各種機器を収容した原稿読取装置１０と、原稿読取装置１０上に配置され、原稿Ｐを原稿読取装置１０の所定位置に搬送する搬送装置２０とを備えている。なお、画像形成装置２は、画像読取装置３で読み取った画像の印刷処理（記録処理）が可能である。
【００１７】
搬送装置２０は、原稿読取装置１０によって画像が読み取られる前の原稿Ｐが載置される給紙トレイ２１と、原稿読取装置１０によって画像が読み取られた後の原稿Ｐが排出される排紙トレイ２２とを備えている。
【００１８】
図２に示すように、原稿読取装置１０と搬送装置２０とはそれぞれの左側縁部がヒンジ３０を介して回動自在に連結されている。そのため、搬送装置２０は、ユーザーによって右側縁部が持ち上げられることにより、図１に示す閉位置から図２に示す開位置に変位する。
【００１９】
原稿読取装置１０は、原稿Ｐが載置される透明板１１と、透明板１１を固定する枠部材１２とを備えている。透明板１１は、長方形に形成されており、四角環状の枠部材１２に対して下側から取り付けられている。なお、枠部材１２は、原稿読取装置１０の上側に設けられている。そして、透明板１１上には、枠部材１２の前及び左の各内縁によって規定される位置に原稿Ｐが位置合わせされて載置される。
【００２０】
搬送装置２０は、給紙トレイ２１から排紙トレイ２２に原稿Ｐを搬送する搬送路２３（図８参照）と、搬送路２３を通過する原稿Ｐを原稿読取装置１０側に露出させるための開口部２４と、開口部２４を覆う透明な被覆部材２５と、透明板１１に載置された原稿Ｐを押圧するマット２６とを備えている。
【００２１】
開口部２４は、搬送装置２０を閉位置に移動したときに、透明板１１上において、枠部材１２の後側の内縁から前方に向かって所定の長さを有し、且つ枠部材１２の左右の各内縁の間隔と略同じ幅を有する長方形に形成されている。マット２６は、搬送装置２０を閉位置に移動したときに、透明板１１上において、枠部材１２の前側の内縁から後方に向かって開口部２４と対応する領域まで所定の間隔を有する位置までの長さを有し、且つ枠部材１２の左右の各内縁の間隔と同じ幅を有する長方形に形成される。
【００２２】
次に、図３を参照して、原稿読取装置１０の内部構成について説明する。なお、図３においては、透明板１１の図示を省略している。
図３に示すように、原稿読取装置１０は、透明板１１越しに原稿Ｐから画像を読み取るコンタクトイメージセンサーユニット１３（以下、「ＣＩＳユニット１３」ともいう。）、ＣＩＳユニット１３を移動させるとき駆動する駆動ベルト１４、ＣＩＳユニット１３の前後方向への移動を案内するレール１５を内部に備えている。また、原稿読取装置１０内においてＣＩＳユニット１３が移動する空間領域内には、ＣＩＳユニット１３を原稿読取装置１０内に配置された制御装置（処理部）１７に接続するフレキシブルフラットケーブル１６（以下、「ＦＦＣ１６」ともいう。）が配設されている。
【００２３】
ＣＩＳユニット１３は、透明板１１の左右方向の幅と略同じ長さを有している。レール１５は、原稿読取装置１０の底部に備えられており、前後方向に伸びている。駆動ベルト１４は、原稿読取装置１０の前後方向に沿って前方及び後方に設けられたプーリー（図示略）に巻き掛けられている。原稿読取装置１０の後方側のプーリーはモーター（図示略）に連結されている。駆動ベルト１４は、２つのプーリーの間の部分がＣＩＳユニット１３に固定されている。駆動ベルト１４は、モーターによって駆動されることにより、ＣＩＳユニット１３を前後方向に移動させる。
【００２４】
ＦＦＣ１６は、複数の導線が並列状をなして被覆されることにより、平坦な帯形状に形成されている。ＦＦＣ１６は、ＣＩＳユニット１３によって読み取られた原稿Ｐの画像を示すデータを伝送する信号線と、ＣＩＳユニット１３を接地する接地線とを複数の導線として含む。ＦＦＣ１６は、その長さ方向の中途から一端側がＣＩＳユニット１３の前面側に対してＣＩＳユニット１３の左端部から右端部まで延びるように取り付けられた状態で、その一端がＣＩＳユニット１３の構成要素である後述のコンタクトイメージセンサー４０（以下、「ＣＩＳ４０」ともいう。）に接続されている。一方、ＦＦＣ１６の他端側は、原稿読取装置１０の後方側左端部に形成された開口（図示略）から原稿読取装置１０内に引き込まれ、原稿読取装置１０内に位置する制御装置１７に接続されている。そして、ＦＦＣ１６は、原稿Ｐの画像を示すデータを、このデータを処理する制御装置１７にＣＩＳユニット１３から伝送する。なお、ＦＦＣ１６における長さ方向の中途から他端側は、Ｕ字状に湾曲した部分を有することにより、変形自在に原稿読取装置１０に収容される。
【００２５】
図４〜図７を参照して、ＣＩＳユニット１３の構造について説明する。
ＣＩＳユニット１３は、原稿Ｐに照射した光の反射光を受光することによって原稿Ｐの画像を読み取るＣＩＳ４０と、ＣＩＳ４０を支持するキャリッジ５０と、キャリッジ５０を支持した状態でレール１５に対して摺動自在に嵌め込まれるスライダー６０と、ＣＩＳ４０をキャリッジ５０に対して上方向に付勢しつつ支持するコイルばね７０とを備えている。すなわち、コイルばね７０は、その下端がキャリッジ５０に固定されるとともに、その上端がＣＩＳ４０に固定されている。なお、ＣＩＳ４０は読取部に相当し、キャリッジ５０は支持部材に相当し、コイルばね７０は付勢部材に相当する。
【００２６】
ＣＩＳ４０は、キャリッジ５０に対して上方向から嵌め込まれ、キャリッジ５０は、スライダー６０に対して上方向から嵌め込まれる。キャリッジ５０は、剛性を有する金属製の板材で形成されている。ＣＩＳユニット１３は、このキャリッジ５０をＣＩＳ４０に接続することによって接地するための接地部８０を備えている。なお、コイルばね７０は、ＣＩＳ４０及びキャリッジ５０における前後左右の四隅間に介在する。
【００２７】
図５に示すように、ＣＩＳ４０は、このＣＩＳ４０によって原稿Ｐから読み取られた画像を示すデータを生成する信号をＦＦＣ１６に伝送する基板４１と、基板４１を通じてキャリッジ５０をＦＦＣ１６の接地線に接続する導電材料からなる接続部４２とを備えている。基板４１は、キャリッジ５０の下面側に取り付けられている。接続部４２は、ＣＩＳ４０の左端部、且つ基板４１の下面側に取り付けられている。
【００２８】
図６に示すように、接地部８０は、板片状をなす導電性の導電部材８１と、導電部材８１をキャリッジ５０に固定する固定部８２と、固定部８２に固定された導電部材８１を上方向に支持する支持部８３と、導電部材８１を固定部８２に固定するねじ８４とを備えている。また、導電部材８１は、キャリッジ５０及び接続部４２を電気的に接続するものであって、キャリッジ５０に固定される基端部８１Ａと、接続部４２に接触する先端部８１Ｂとを備えている。なお、基端部８１Ａは支持部材側接触部に相当し、先端部８１Ｂは読取部側接触部に相当する。また、導電部材８１において支持部８３と接触する部分は、導電部材８１における基端部８１Ａと先端部８１Ｂをそれぞれの接触相手に対して圧接状態にする外力が付与される被外力付与部に相当する。
【００２９】
導電部材８１は、前後方向を長手方向とする長板状の弾性部材で形成された板ばねであり、その基端部８１Ａには、ねじ８４と螺合するねじ穴が形成されている。また、導電部材８１の先端部８１Ｂは、前方に進むにしたがって幅が狭くなるように形成されるとともに、折り目が上方向に向くように山折りに曲げられている。
【００３０】
固定部８２は、キャリッジ５０の後方側の側壁から前方に突出するように切り起こされた突片状をなしており、ねじ８４と螺合するねじ穴が形成されている。支持部８３は、キャリッジ５０の底壁において、固定部８２により片持ち状態に支持された導電部材８１の基端部８１Ａと先端部８１Ｂとの間に対応する位置から、先端が上方向に向かって突出するように切り起こされた突片状をなしている。なお、ねじ８４は、固定部８２と導電部材８１の基端部８１Ａとに形成されたねじ穴にねじ込まれることによって、導電部材８１の基端部８１Ａを固定部８２に固定する。
【００３１】
図７に示すように、導電部材８１は、ＣＩＳ４０をキャリッジ５０に嵌め込むことにより、先端部８１Ｂが接続部４２によって下方向に押される。導電部材８１は、基端部８１Ａと先端部８１Ｂとの間の部分（被外力付与部）が支持部８３によって上方向に押し上げられた状態にてキャリッジ５０に支持されているため、支持部８３を支点として先端部８１Ｂ側が弾性変形し、接続部４２に対して先端部８１Ｂが圧接状態となる。したがって、導電部材８１は、復元力を蓄えた状態でキャリッジ５０と接続部４２との間に介在することになり、ＣＩＳ４０は、前述したコイルばね７０のみならず、この弾性変形した導電部材８１によっても、透明板１１に向けて付勢される。すなわち、弾性部材からなる導電部材８１とコイルばね７０はＣＩＳ４０を透明板１１に向けて協働して付勢する。
【００３２】
次に、以上のように構成された画像読取装置３及び画像形成装置２の作用について、図８及び図９を参照しながら説明する。
さて、図８に示すように、ＣＩＳユニット１３は、画像読取装置３が読取動作を停止しているとき、原稿読取装置１０の内部において、枠部材１２の後方の内縁の下方に設定された待機位置Ａにおいて所定の待機動作を実行する。
【００３３】
そして、搬送装置２０が閉位置に位置した状態において、給紙トレイ２１に原稿Ｐが載置された後、ユーザーによって原稿Ｐの読み取りを開始する操作が実行されると、ＣＩＳ４０は、図８において二点鎖線で示すように、搬送装置２０の開口部２４と対応する読取位置Ｂに待機位置Ａから移動する。
【００３４】
搬送装置２０は、ＣＩＳユニット１３が読取位置Ｂに移動した後、給紙トレイ２１に載置されている原稿Ｐを排紙トレイ２２まで搬送路２３を通して一枚ずつ搬送する。ＣＩＳユニット１３は、搬送路２３を通る過程で開口部２４において露出される原稿Ｐを、被覆部材２５及び透明板１１越しに読み取る。搬送装置２０は、給紙トレイ２１に載置されている原稿Ｐを排紙トレイ２２に全て排出する。ＣＩＳユニット１３は、搬送装置２０による原稿Ｐの搬送が終了すると、読取位置Ｂから待機位置Ａに戻る。
【００３５】
一方、搬送装置２０を開位置に位置させた場合には、透明板１１に原稿Ｐが載置される。原稿Ｐは、透明板１１上において、枠部材１２の前側及び左側の内縁に接する位置に載置される。原稿Ｐは、透明板１１に載置された後、搬送装置２０が閉位置に移動することにより、マット２６によって押圧される。
【００３６】
ＣＩＳユニット１３は、搬送装置２０が閉位置に移動した後、ユーザーによって原稿Ｐの読み取りを開始する操作が実行されると、図８において二点鎖線で示すように、枠部材１２の前側の内縁と原稿Ｐとの接触位置に対応する読取開始位置Ｃに移動する。そして、ＣＩＳユニット１３は、その読取開始位置Ｃから、図８において二点鎖線で示すように、開口部２４に対応する読取位置Ｂから前方に所定の間隔を有する読取終了位置Ｄまで移動しながら原稿Ｐを読み取る。ＣＩＳユニット１３は、透明板１１上に載置されている原稿Ｐの読取を完了すると、図８において実線で示すように、読取終了位置Ｄから待機位置Ａに戻る。
【００３７】
以上のように、ＣＩＳ４０は、搬送装置２０により搬送される原稿Ｐから読取位置Ｂに停止した状態で画像を読み取った場合、及び、透明板１１上に載置された原稿Ｐから画像を読取開始位置Ｃから読取終了位置Ｄまで移動する過程で読み取った場合、いずれの場合も、ＦＦＣ１６を介して制御装置１７に画像のデータを伝送する。すると、その伝送されたデータに対応した画像の印刷が画像形成装置２において実行される。
【００３８】
また、ＣＩＳ４０を搭載したキャリッジ５０が読取開始位置Ｃと読取終了位置Ｄとの間を移動する過程では、金属製の板材からなるキャリッジ５０において静電気が発生することがあり得る。すなわち、光源の表面電位の変化及び空気摩擦などに起因してキャリッジ５０に蓄積される電荷は一定量を超えると放電され、ＦＦＣ１６に含まれる信号線を通る画像のデータに干渉することにより、読み取った画像を劣化させる。
【００３９】
こうした画像の劣化を回避するためには、キャリッジ５０に発生した静電気は接地により放電させることが好ましい。この点、本実施形態では、キャリッジ５０において発生した静電気は、導電部材８１及び接続部４２を介してＣＩＳ４０の基板４１に流れた後、ＦＦＣ１６に含まれる複数の導線のうちの一本である接地線を介して地中放電される。
【００４０】
また、図９（ａ）（ｂ）に示すように、ＦＦＣ１６は、ＣＩＳユニット１３が移動する過程において、Ｕ字状に湾曲した部分が、ＣＩＳユニット１３の移動に追従して変形する。すなわち、図９（ａ）に示すように、ＣＩＳユニット１３が読取開始位置Ｃに移動した場合、ＦＦＣ１６は、それまで湾曲していた部分が前後方向に延びるように変形する。そして、図９（ｂ）に示すように、ＣＩＳユニット１３が読取開始位置Ｃから読取終了位置Ｄに向けて移動すると、ＦＦＣ１６は、再び湾曲した状態になる。なお、図９の場合も、図３の場合と同様に、透明板１１の図示を省略している。
【００４１】
以上説明した本実施形態の画像読取装置３及び画像形成装置２によれば、以下の効果を奏する。
（１）キャリッジ５０を例えば剛性確保のために金属で形成した場合でも、キャリッジ５０は、導電部材８１、基板４１、及び接地線を通して接地されているため、画像読取装置３が原稿Ｐから画像を読み取るときにキャリッジ５０に電荷が蓄積されることを抑制することができる。これにより、ＣＩＳ４０によって読み取られた原稿Ｐの画像データに干渉するノイズの発生を抑制することができる。したがって、原稿Ｐから読み取った画像の画質が劣化することを抑制することができる。
【００４２】
（２）一般に、ＣＩＳ４０と制御装置１７とはＦＦＣ１６で接続される場合が多いが、本実施形態におけるＦＦＣ１６は、原稿Ｐの画像を示すデータを伝送する信号線と、グランドに接続された接地線とを含む。そのため、キャリッジ５０を接地するための接地線を増設することなく、ＦＦＣ１６に接地線を一体化することができる。
【００４３】
（３）導電性の弾性部材からなる導電部材８１によりＣＩＳ４０を透明板１１に向けて付勢するため、より確実にＣＩＳ４０を透明板１１に押し付けることができるとともに、接地線に接続されたＣＩＳ４０の基板４１とキャリッジ５０とに導電部材８１をより確実に接触させることができる。
【００４４】
（４）ＣＩＳ４０は、コイルばね７０によって導電部材８１と協働して透明板１１に付勢される。この構成によれば、コイルばね７０による付勢力の分だけ導電部材８１の付勢力を弱くすることができる。このため、導電部材８１をキャリッジ５０と基板４１の間に組み込む作業を容易に行うことができる。また、接続部４２の摩耗を抑制することができる。
【００４５】
なお、上記実施形態は以下のような別の実施形態に変更してもよい。
・上記実施形態において、ＣＩＳユニット１３は、弾性変形した導電部材８１の付勢力のみによって透明板１１に向けて付勢される構成であってもよい。
【００４６】
・上記実施形態において、画像読取装置３は、画像形成装置２と組み合わせて使用されることなく、単独で使用される構成であってもよい。
・上記実施形態において、接地線は、原稿Ｐの画像データを伝送する信号線を含むＦＦＣ１６に含まれることなく接地線だけを単独で配線してもよい。
【００４７】
・上記実施形態において、導電部材８１は、板ばね以外に例えばコイルばね等の形態であってもよい。要するに、ＣＩＳ４０の基板４１とキャリッジ５０との間に蓄力状態で介在することにより、ＣＩＳ４０を透明板１１に向けて付勢する導電性の弾性部材であれば、板ばね以外の形態でもよい。
【００４８】
・上記実施形態において、記録装置としての画像形成装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００４９】
２…画像形成装置（記録装置）、３…画像読取装置、１１…透明板、１６…フレキシブルフラットケーブル（ＦＦＣ）、１７…制御装置（処理部）、４０…読取部としてのコンタクトイメージセンサー（ＣＩＳ）、４１…基板、５０…キャリッジ（支持部材）、７０…コイルバネ、８１…導電部材（弾性部材）、８１Ａ…基端部（支持部材側接触部）、８１Ｂ…先端部（読取部側接触部）、Ｐ…原稿。
【図１】
2014017573.tif 000003
【図２】
2014017573.tif 000004
【図３】
2014017573.tif 000005
【図４】
2014017573.tif 000006
【図５】
2014017573.tif 000007
【図６】
2014017573.tif 000008
【図７】
2014017573.tif 000009
【図８】
2014017573.tif 000010
【図９】
2014017573.tif 000011